(57)【要約】【課題】容易に開封できる梱包箱を提供すること。【解決手段】梱包箱は、側板、天板、及び底板を備える。梱包箱は、第１ミシン目と、区画線と、区画部と、折り目とを備える。第１ミシン目は、前記側板に形成され、前記梱包箱を一周する。区画線は、第２ミシン目又は切れ目を含む。区画部は、前記第１ミシン目の一部、前記区画線、及び前記梱包箱の稜線により囲まれている。折り目は、前記第１ミシン目と前記区画線との角、又は、前記区画線の角とともに三角形を成すように形成されている。【選択図】図２
2020164211.tif 000002
【特許請求の範囲】
【請求項１】
側板、天板、及び底板を備える梱包箱であって、
前記側板に形成され、前記梱包箱を一周する第１ミシン目と、
前記梱包箱に形成され、第２ミシン目又は切れ目を含む区画線と、
前記第１ミシン目の一部、前記区画線、及び前記梱包箱の稜線により囲まれた区画部と、
前記第１ミシン目と前記区画線との角、又は、前記区画線の角とともに三角形を成すように形成された折り目と、
を備える梱包箱。
【請求項２】
請求項１に記載の梱包箱であって、
前記第２ミシン目は、前記梱包箱を展開した状態でＬ字形状を有する梱包箱。
【請求項３】
請求項２に記載の梱包箱であって、
前記第２ミシン目は、前記第１ミシン目に接続する第１部と、前記第１部に対し屈曲した第２部とを有する梱包箱。
【請求項４】
請求項３に記載の梱包箱であって、
前記第２部は、前記側板、前記天板、及び、前記側板と前記天板との間の稜線のうちのいずれかに形成された梱包箱。
【請求項５】
請求項３又は４に記載の梱包箱であって、
前記折り目は、前記第１ミシン目と前記第１部との角とともに三角形を成すように形成された梱包箱。
【発明の詳細な説明】
【技術分野】
【０００１】
本開示は梱包箱に関する。
【背景技術】
【０００２】
特許文献１には、梱包箱の側板に帯状の開封部を形成することが記載されている。開封部は梱包箱の全周にわたって形成されている。開封部を切り離すことで、梱包箱を開封することができる。
【先行技術文献】
【特許文献】
【０００３】
【特許文献１】特開２００２−５９９２０号公報
【発明の概要】
【発明が解決しようとする課題】
【０００４】
特許文献１に記載の梱包箱を開封するためには、梱包箱の全周にわたって、開封部を切り離す必要がある。そのため、梱包箱を開放するためには、開封の途中で梱包箱を持ち替えたり、梱包箱の向きを変えたりする必要があった。本開示の１つの局面は、容易に開封できる梱包箱を提供することを目的とする。
【課題を解決するための手段】
【０００５】
本開示の１つの局面は、側板、天板、及び底板を備える梱包箱であって、前記側板に形成され、前記梱包箱を一周する第１ミシン目と、前記梱包箱に形成され、第２ミシン目又は切れ目を含む区画線と、前記第１ミシン目の一部、前記区画線、及び前記梱包箱の稜線により囲まれた区画部と、前記第１ミシン目と前記区画線との角、又は、前記区画線の角とともに三角形を成すように形成された折り目と、を備える梱包箱である。
【０００６】
本開示の１つの局面である梱包箱は容易に開封することができる。
【図面の簡単な説明】
【０００７】
【図１】第１実施形態の梱包箱１の構成を表す展開図である。
【図２】第１実施形態の梱包箱１の構成及び開封方法を表す説明図である。
【図３】第２実施形態の梱包箱１の構成を表す展開図である。
【図４】第３実施形態の梱包箱１の構成を表す展開図である。
【図５】第４実施形態の梱包箱１の構成を表す展開図である。
【図６】第５実施形態の梱包箱１の構成を表す展開図である。
【図７】第６実施形態の梱包箱１の構成を表す展開図である。
【図８】第７実施形態の梱包箱１の構成を表す展開図である。
【図９】第８実施形態の梱包箱１０１の構成を表す展開図である。
【図１０】第８実施形態の梱包箱１０１の構成及び開封方法を表す説明図である。
【図１１】第９実施形態の梱包箱１０１の構成を表す展開図である。
【図１２】第１０実施形態の梱包箱１０１の構成を表す展開図である。
【図１３】第１１実施形態の梱包箱１０１の構成を表す展開図である。
【発明を実施するための形態】
【０００８】
本開示の例示的な実施形態について図面を参照しながら説明する。
＜第１実施形態＞
１．梱包箱１の構成
梱包箱１の構成を、図１、図２に基づき説明する。梱包箱１の材質は、例えば、紙である。紙として、例えば、段ボール、厚紙等が挙げられる。
【０００９】
図１に示すように、梱包箱１は、展開した状態において、側板３、５、７、９、フラップ１１、１３、１５、１７、１９、２１、２３、２５、及び糊代２７を備える。隣接する２つの側板の間、隣接する側板とフラップとの間、及び、側板９と糊代２７の間には、それぞれ、折り目２９が形成されている。
【００１０】
図２のＳ１に示すように、梱包箱１は、組み立てた状態において、側板３、５、７、９と、天板３１と、底板３３とを備える直方体形状の梱包箱である。天板３１は、フラップ１１、１３、１５、１７により構成される。底板３３は、フラップ１９、２１、２３、２５により構成される。糊代２７は側板３に接着される。それぞれの折り目２９は稜線３５となる。
【００１１】
梱包箱１は第１ミシン目３７を備える。第１ミシン目３７は側板３、５、７、９に形成されている。第１ミシン目３７は梱包箱１を１周している。第１ミシン目３７の形状は直線である。第１ミシン目３７は、天板３１及び底板３３と平行である。
【００１２】
梱包箱１は区画線３９を備える。区画線３９は、第２ミシン目４１と、切れ目４３とから成る。第２ミシン目４１は、図１に示すように、梱包箱１を展開した状態でＬ字形状を有する。第２ミシン目４１は、Ｌ字の１辺である第１部４５と、Ｌ字の他の１辺である第２部４７とを備える。
【００１３】
図１に示すように、第１部４５は、側板９及びフラップ１７に跨って形成されている。図２のＳ１に示すように、第１部４５は、梱包箱１を組み立てた状態において、側板９及び天板３１に跨って形成されている。第１部４５は第１ミシン目３７に接続している。第１部４５は第１ミシン目３７に直交している。
【００１４】
図１に示すように、第２部４７は、フラップ１７に形成されている。図２のＳ１に示すように、第２部４７は、梱包箱１を組み立てた状態において、天板３１に形成されている。第２部４７は、第１部４５に直交している。第２部４７は、稜線３５Ａに達している。稜線３５Ａは、天板３１と側板３との間の稜線である。
【００１５】
切れ目４３は、稜線３５Ａのうち、交点４９から頂点５１までの部分である。交点４９は、第２部４７と稜線３５Ａとの交点である。頂点５１は、稜線３５Ａと、稜線３５Ｂとが成す頂点である。稜線３５Ｂは、側板９と側板３との間の稜線である。切れ目４３は、フラップ１７の端部と、側板３の端部とが対向する部分である。
【００１６】
梱包箱１のうち、第１ミシン目３７よりも天板３１の側にある部分は、第１区画部５３と、第２区画部５４とに区画される。第１区画部５３は、第１ミシン目３７の一部と、区画線３９と、稜線３５Ｂとにより囲まれた部分である。第２区画部５４も、第１ミシン目３７の一部と、区画線３９と、稜線３５Ｂとにより囲まれた部分である。
【００１７】
梱包箱１のうち、第１ミシン目３７よりも底板３３の側の部分を、下部５９とする。梱包箱１は、折り目５５を備える。折り目５５は、第１ミシン目３７と第１部４５との角とともに三角形を成すように形成されている。折り目５５は、第２区画部５４に形成されている。折り目５５は、第１ミシン目３７に達していてもよいし、達していなくてもよい。折り目５５は、第１部４５に達していてもよいし、達していなくてもよい。
【００１８】
第１部４５のうち、折り目５５に対向する部分に開け口５６が形成されている。開け口５６は、ミシン目と切れ目とにより構成される。開け口５６をユーザの指で押すと、容易に破断する。
【００１９】
２．梱包箱１の開封方法
梱包箱１の開封方法を図２に基づき説明する。図２のＳ２に示すように、第１ミシン目３７と第１部４５との角の付近で、第１ミシン目３７及び第１部４５をそれぞれ切り離し、折り目５５において側板９を折り曲げる。その結果、３角形の把持片５７が手前に飛び出した状態となる。第１部４５を切り離すとき、開け口５６を破断させ、開け口５６に差し込んだ指を使用することができる。
【００２０】
ユーザは、把持片５７をつかみ、Ｆ方向に引っ張る。Ｆ方向は、折り目５５に交差する方向であって、第１ミシン目３７と第１部４５との角から遠ざかる方向である。
このとき、図２のＳ３、Ｓ４、Ｓ５に示すように、第１ミシン目３７のうち、第２区画部５４を区画する部分の切り離しが進行してゆく。また、第１部４５及び第２部４７の切り離しも進行してゆく。第２区画部５４は、稜線３５Ｂを軸として回転する。
【００２１】
やがて、図２のＳ５に示すように、第１ミシン目３７は、第１区画部５３を区画する部分を除き、全て切り離される。また、第１部４５及び第２部４７は全て切り離される。また、切れ目４３は広がる。
【００２２】
図２のＳ５に示す状態のとき、第２区画部５４は、稜線３５Ｂでのみ、第１区画部５３と接続した状態となる。第２区画部５４の大部分は、下部５９の上方に位置しない。第２区画部５４は、下部５９と接続していない。
【００２３】
最後に、図２のＳ６に示すように、第１区画部５３及び第２区画部５４を上方に引っ張り、下部５９から完全に分離させる。梱包箱１は開封される。下部５９は商品のトレーとして利用できる。
【００２４】
３．梱包箱１が奏する効果
（１Ａ）梱包箱１は、例えば、図２に示す方法で容易に開封することができる。梱包箱１を開封するとき、例えば、開封の途中で梱包箱１を持ち替えたり、梱包箱１の向きを変えたりしなくてもよい。
【００２５】
（１Ｂ）図２に示すように、梱包箱１を開封するとき、まず、第２区画部５４を回転させ、次に、第１区画部５３及び第２区画部５４を上方に引っ張り、下部５９から分離することができる。そのため、例えば、梱包箱１に背の高い商品が収容されている場合でも、第１区画部５３又は第２区画部５４が商品に引っ掛かることを抑制できる。
【００２６】
（１Ｃ）第２ミシン目４１はＬ字形状を有する。そのため、図２に示す方法で梱包箱１を開封することが一層容易である。
（１Ｄ）第２ミシン目４１は、第１ミシン目３７に接続する第１部４５と、第１部４５に対し交差する第２部４７とを有する。そのため、図２に示す方法で梱包箱１を開封することが一層容易である。
【００２７】
（１Ｅ）第２部４７は、天板３１に形成されている。そのため、図２に示す方法で梱包箱１を開封することが一層容易である。
（１Ｆ）折り目５５は、第１ミシン目３７と第１部４５との角とともに３角形を成すように形成されている。そのため、把持片５７をつかみ、Ｆ方向に引っ張ることが容易である。その結果、図２に示す方法で梱包箱１を開封することが一層容易である。
＜第２〜第７実施形態＞
１．第１実施形態との相違点
第２〜７実施形態は、基本的な構成は第１実施形態と同様であるため、相違点について以下に説明する。なお、第１実施形態と同じ符号は、同一の構成を示すものであって、先行する説明を参照する。
【００２８】
第２実施形態の梱包箱１は、図３に示す構成を有する。第２部４７は、フラップ１７と側板９との間の折り目２９に形成されている。梱包箱１を組み立てたとき、第２部４７は、側板９と天板３１との間の稜線３５に形成されている。第２部４７は頂点５１に達している。区画線３９は、第２ミシン目４１から成る。
【００２９】
第３実施形態の梱包箱１は、図４に示す構成を有する。第２ミシン目４１は、第１実施形態に比べて、側板３の側に移動した位置にある。
第４実施形態の梱包箱１は、図５に示す構成を有する。第２部４７は、側板９に形成されている。第２部４７は稜線３５Ｂに達している。区画線３９は、第２ミシン目４１から成る。
【００３０】
第５実施形態の梱包箱１は、図６に示す構成を有する。側板５、９に形成された第１ミシン目３７は、天板３１及び底板３３に対し傾斜している。側板３に形成された第１ミシン目３７と、側板７に形成された第１ミシン目３７とは、高さが異なる。
【００３１】
第６実施形態の梱包箱１は、図７に示す構成を有する。第２ミシン目４１は、側板７、フラップ１５、１７に形成されている。梱包箱１を組み立てたとき、第２ミシン目４１は、側板７及び天板３１に形成されている。天板３１に形成された第２ミシン目４１の形状は直線である。
【００３２】
第７実施形態の梱包箱１は、図８に示す構成を有する。折り目５５が、第１区画部５３の側に形成されている。第７実施形態の梱包箱１を開封するとき、まず、第１区画部５３の一部である把持片５７をつかみ、第１区画部５３を、稜線３５Ｂを中心として回転させ、次に、第１区画部５３及び第２区画部５４を上方に引っ張り、下部５９から完全に分離させることができる。
【００３３】
２．梱包箱１が奏する効果
以上詳述した第２〜第７実施形態によれば、前述した第１実施形態の効果を奏する。
＜第８実施形態＞
１．梱包箱１０１の構成
梱包箱１０１の構成を、図９、図１０に基づき説明する。梱包箱１０１の材質は、例えば、紙である。紙として、例えば、段ボール、厚紙等が挙げられる。
【００３４】
図９に示すように、梱包箱１０１は、展開した状態において、糊代１０３、天板１０５、側板１０７、底板１０９、側板１１１、フラップ１１３、１１５、１１７、１１９、１２１、１２３、１２５、１２７を備える。上述した構成同士の間には、それぞれ、折り目１２９が形成されている。
【００３５】
図１０のＳ１１に示すように、梱包箱１０１は、組み立てた状態において、側板１０７、１１１、１３０、１３１と、天板１０５と、底板１０９とを備える直方体形状の梱包箱である。
【００３６】
側板１３０は、フラップ１１３、１１５、１１７、１１９により構成される。側板１３１は、フラップ１２１、１２３、１２５、１２７により構成される。糊代１０３は側板１１１に接着される。それぞれの折り目１２９は稜線１３５となる。
【００３７】
梱包箱１０１は第１ミシン目１３７を備える。図９に示すように、梱包箱１０１を展開した状態において、第１ミシン目１３７は、フラップ１１５、側板１０７、フラップ１２３に跨って形成されている。また、梱包箱１０１を展開した状態において、第１ミシン目１３７は、フラップ１１９、側板１１１、フラップ１２７に跨って形成されている。
【００３８】
図１０のＳ１１に示すように、梱包箱１０１を組み立てた状態において、第１ミシン目１３７は、側板１０７、１３０、１１１、１３１に形成されている。第１ミシン目１３７は梱包箱１０１を１周している。第１ミシン目１３７の形状は直線である。第１ミシン目１３７は、天板１０５及び底板１０９と平行である。
【００３９】
梱包箱１０１は区画線１３９を備える。区画線１３９は、第２ミシン目１４１と、切れ目１４３とから成る。図９に示すように、梱包箱１０１を展開した状態において、第２ミシン目１４１は、フラップ１１３、天板１０５、及び、天板１０５とフラップ１２１との間の折り目１２９に形成されている。
【００４０】
図１０のＳ１１に示すように、梱包箱１０１を組み立てた状態において、第２ミシン目１４１は、天板１０５と、側板１３０と、稜線１３５Ａとに跨って形成されている。稜線１３５Ａは、天板１０５と側板１３１との間の稜線である。
【００４１】
切れ目１４３は、側板１３０に形成されている。切れ目１４３は、フラップ１１５の端部とフラップ１１９の端部とが対向している部分である。切れ目１４３は、第２ミシン目１４１と同一直線上にあり、第１ミシン目１３７に達している。
【００４２】
梱包箱１０１のうち、第１ミシン目１３７よりも天板１０５の側にある部分は、第１区画部１５３と、第２区画部１５４とに区画される。第１区画部１５３は、第１ミシン目１３７の一部と、区画線１３９と、稜線１３５Ｂとにより囲まれた部分である。稜線１３５Ｂは、側板１０７と側板１３１との間にある稜線である。
【００４３】
第２区画部１５４も、第１ミシン目１３７の一部と、区画線１３９と、稜線１３５Ｂとにより囲まれた部分である。
梱包箱１０１のうち、第１ミシン目１３７よりも底板１０９の側の部分を、下部１５９とする。梱包箱１０１は、折り目１５５を備える。図９に示すように、折り目１５５は、フラップ１１３、１１９に形成されている。図１０のＳ１１に示すように、梱包箱１０１を組み立てた状態において、折り目１５５は、第１ミシン目１３７と区画線１３９との角とともに三角形を成すように形成されている。折り目１５５は、第２区画部１５４に形成されている。折り目１５５は、第１ミシン目１３７に達していてもよいし、達していなくてもよい。折り目１５５は、区画線１３９に達していてもよいし、達していなくてもよい。
【００４４】
第２ミシン目１４１のうち、折り目１５５に対向する部分に開け口１５６が形成されている。開け口１５６は、第１実施形態における開け口５６と同様のものである。
２．梱包箱１０１の開封方法
梱包箱１０１の開封方法を図１０に基づき説明する。図１０のＳ１２に示すように、第１ミシン目１３７と区画線１３９との角の付近で、第１ミシン目１３７及び第２ミシン目１４１をそれぞれ切り離し、折り目１５５において側板１３０を折り曲げる。その結果、３角形の把持片１５７が手前に飛び出した状態となる。第２ミシン目１４１を切り離すとき、開け口１５６を破断させ、開け口１５６に差し込んだ指を使用することができる。
【００４５】
ユーザは、把持片１５７をつかみ、Ｆ方向に引っ張る。Ｆ方向は、折り目１５５に交差する方向であって、第１ミシン目１３７と区画線１３９との角から遠ざかる方向である。
このとき、図１０のＳ１３に示すように、第１ミシン目１３７のうち、第２区画部１５４を区画する部分の切り離しが進行してゆく。また、第２ミシン目１４１の切り離しも進行してゆく。第２区画部１５４は、稜線１３５Ｂを軸として回転する。
【００４６】
やがて、図１０のＳ１４に示すように、第１ミシン目１３７は、第１区画部１５３を区画する部分を除き、全て切り離される。また、第２ミシン目１４１も全て切り離される。また、切れ目１４３は広がる。
【００４７】
図１０のＳ１４に示す状態のとき、第２区画部１５４は、稜線１３５Ｂでのみ、第１区画部１５３と接続した状態となる。第２区画部１５４の大部分は、下部１５９の上方に位置しない。第２区画部１５４は、下部１５９と接続していない。
【００４８】
最後に、図１０のＳ１５に示すように、第１区画部１５３及び第２区画部１５４を上方に引っ張り、下部１５９から完全に分離させる。梱包箱１０１は開封される。下部１５９は商品のトレーとして利用できる。
【００４９】
２．梱包箱１が奏する効果
以上詳述した第２〜第７実施形態によれば、前述した第１実施形態の効果（１Ａ）、（１Ｂ）、（１Ｆ）を奏する。
＜第９〜第１１実施形態＞
１．第８実施形態との相違点
第９〜１１実施形態は、基本的な構成は第８実施形態と同様であるため、相違点について以下に説明する。なお、第８実施形態と同じ符号は、同一の構成を示すものであって、先行する説明を参照する。
【００５０】
第９実施形態の梱包箱１０１は、図１１に示す構成を有する。第２ミシン目１４１のうち、天板１０５に形成されている部分は傾斜している。第２ミシン目１４１は、天板１０５、側板１０７、１３１の頂点に達する。
【００５１】
第１０実施形態の梱包箱１０１は、図１２に示す構成を有する。第２ミシン目４１は、天板１０５及び側板１０７に跨って形成されている。第２ミシン目４１はＬ字型の形状を有する。折り目１５５は側板１０７に形成されている。
【００５２】
第１１実施形態の梱包箱１０１は、図１３に示す構成を有する。第２ミシン目４１のうち、天板１０５に形成された部分は、稜線１３５Ｂの手前でＬ字型に屈曲し、稜線１３５Ｃに達している。稜線１３５Ｃは天板１０５と側板１０７との間の稜線である。
【００５３】
２．梱包箱１０１が奏する効果
以上詳述した第９〜第１１実施形態によれば、前述した第８実施形態の効果を奏する。
＜他の実施形態＞
以上、本開示の実施形態について説明したが、本開示は上述の実施形態に限定されることなく、種々変形して実施することができる。
【００５４】
（１）折り目５５は、区画線３９の角とともに三角形を成す位置に形成されていてもよい。折り目１５５は、区画線１３９の角とともに三角形を成す位置に形成されていてもよい。
（２）区画線３９と、第１ミシン目３７との間に、ミシン目も切れ目も存在しない領域があってもよい。区画線３９と、稜線３５Ｂとの間に、ミシン目も切れ目も存在しない領域があってもよい。区画線３９の途中に、ミシン目も切れ目も存在しない領域があってもよい。
区画線１３９と、第１ミシン目１３７との間に、ミシン目も切れ目も存在しない領域があってもよい。区画線１３９と、稜線１３５Ｂとの間に、ミシン目も切れ目も存在しない領域があってもよい。区画線１３９の途中に、ミシン目も切れ目も存在しない領域があってもよい。
【００５５】
（３）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。
【００５６】
（４）上述した梱包箱の他、当該梱包箱を構成要素とするシステム、梱包箱の製造方法等、種々の形態で本開示を実現することもできる。
【符号の説明】
【００５７】
１…梱包箱、３、５、７、９…側板、１１、１５、１７、１９…フラップ、２７…糊代、２９…折り目、３１…天板、３３…底板、３５、３５Ａ、３５Ｂ…稜線、３７…第１ミシン目、３９…区画線、４１…第２ミシン目、４３…切れ目、４５…第１部、４７…第２部、４９…交点、５１…頂点、５３…第１区画部、５４…第２区画部、５５…折り目、５６…開け口、５７…把持片、５９…下部、１０１…梱包箱、１０３…糊代、１０５…天板、１０７、１１１…側板、１０９…底板、１１３、１１５、１１９、１２１、１２３、１２７…フラップ、１２９…折り目、１３０、１３１…側板、１３５、１３５Ａ、１３５Ｂ、１３５Ｃ…稜線、１３７…第１ミシン目、１３９…区画線、１４１…第２ミシン目、
１４３…切れ目、１５３…第１区画部、１５４…第２区画部、１５５…折り目、１５６…開け口、１５７…把持片、１５９…下部
【図１】
2020164211.tif 000003
【図２】
2020164211.tif 000004
【図３】
2020164211.tif 000005
【図４】
2020164211.tif 000006
【図５】
2020164211.tif 000007
【図６】
2020164211.tif 000008
【図７】
2020164211.tif 000009
【図８】
2020164211.tif 000010
【図９】
2020164211.tif 000011
【図１０】
2020164211.tif 000012
【図１１】
2020164211.tif 000013
【図１２】
2020164211.tif 000014
【図１３】
2020164211.tif 000015